(57)【要約】【課題】  衛生マスク着用時に目元や頬部など顔を覆う面積を縮小して、不快感や圧迫感を大幅に軽減し、また呼気等によるメガネ類の曇りを防止し、さらにマスク本体の変形を抑制することができる等、着用時の快適性を向上させることができる衛生マスクを提供する。【解決手段】  鼻部と口元とを覆い、目は覆わない衛生マスクにおいて、アコーディオンのように上下方向に伸縮可能であって、横長長方形型の上部の左右がカットされて切欠を有し、略六角形形状を特徴とする衛生マスクで、耳掛けを有する衛生マスクである。【選択図】図２
2019026995.tif 000002
【特許請求の範囲】
【請求項１】
鼻部と口元とを覆い、目は覆わない衛生マスクにおいて、アコーディオンのように上下方向に伸縮可能であって、横長長方形型の上部の左右がカットされて切欠を有し、略六角形形状を特徴とする衛生マスク。
【請求項２】
マスク本体の両側縁から環状に延びる左右一対の耳掛けを有し、該耳掛けの取り付け位置はマスク本体の左右各端部において、下部はマスク本体の下端部、上部は前記切欠の側端部近傍位置に取り付けられていることを特徴とする請求項１記載の衛生マスク。
【発明の詳細な説明】
【技術分野】
【０００１】  本発明は鼻部と口を覆って、各種ウイルスや塵、埃、花粉、その他微生物の捕捉、および喉の保護や治療、消毒等の衛生作業、料理や給食等に使用され、左右一対の耳掛け部を含む衛生マスクに関する。
【背景技術】
【０００２】  衛生マスクとして近年、アコーディオンのように上下方向に伸縮可能な不織布製のマスク本体と、左右一対の耳掛けを有し、各端部を熱接着等を施された横長長方形の形状をした衛生マスクが高いフィルター性能があること等から普及の一途をたどっている。
【先行技術文献】
【特許文献】
【０００３】
【特許文献１】特開２０１７−１２５２８１号公報
【特許文献２】実用新案登録第３１７９９１７号公報
【特許文献３】実用新案登録第３２０３０８７号公報
【発明の概要】
【発明が解決しようとする課題】
【０００４】  横長長方形の形状をした伸縮可能な衛生マスクにおいて、マスク着用時は元々呼吸等をし難い上に、目元下部の至近までマスク本体の上端部が覆ってくるため、マスク着用者に対して圧迫感や不快感を与えてしまう。【０００５】  また話すなど口を動かすことにより衛生マスク本体がずり上がり、より一層マスク上端部が目元に近づくなど、不快感、圧迫感が増幅する。【０００６】  さらに衛生マスク上端部と目元下部が近づくことにより、マスク上端部から漏れ出す呼気等により、メガネ類使用者がマスク着用時においてメガネの曇りが発生してしまうといった不便を生じさせる。【０００７】  また、不織布部等で構成された伸縮可能なアコーディオン部を上下方向に大きく伸ばすことにより、呼気等による湿りでマスク本体が変形し易く、型崩れが発生する上、これによって吸気時に不織布部が口内側へ入り、より一層呼吸がし辛くなる。
【課題を解決するための手段】
【０００８】  本発明に関する鼻部と口元とを覆い、目は覆わない衛生マスクにおいて、アコーディオンのように上下方向に伸縮可能であって、横長長方形型の上部の左右がカットされて切欠を有し、略六角形形状を特徴とする衛生マスクである。【０００９】  前記本発明においてマスク本体の両側縁から環状に延びる左右一対の耳掛けを有し、概耳掛けの取り付け位置はマスク本体の左右各端部において、下部はマスク本体の下端部、上部は前記切欠の側端部近傍位置に取り付けられていることを特徴とする請求項１記載の衛生マスクを好適形態とするものである。
【発明の効果】
【００１０】  本発明に係る衛生マスクによれば、マスク本体上方部の左右に略三角形の切欠を施して目もと部分を図面のようにカットすることにより、マスク着用者が圧迫感や不快感を軽減し、快適に着用できる。また、マスク上端部が目元から遠ざかるため、メガネ等着用者の呼気による曇り防止効果もある。さらに本体アコーディオン部を大きく引き伸ばす必要性も軽減され、マスク本体の変形や型崩れ防止効果もある。【００１１】  また本発明の耳掛けを使用することで耳に負荷がかからず、痛み無く着用出来る。【００１２】  さらに、従来からの基本的な衛生マスクと比べ、製造法上において大きな差異はなく、本発明の衛生マスクを容易に製造できる。
【図面の簡単な説明】
【００１３】
【図１】  本発明に係る衛生マスクの正面から見た平面図
【図２】  衛生マスクの正面から見た平面図で、一般普及しているマスク形状比較し、本発明に係る切欠（カット）部を点線で記した図
【図３】  本発明の衛生マスクを上方向から記した図
【図４】  図１、図２に記されたＡ１−Ａ２断面図
【発明を実施するための形態】
【００１４】  下記、本発明の実施の形態は図１〜図４に示す衛生マスクに関し、発明の不可欠な構成ばかりではなく、選択的および好ましい構成を含む。
【００１５】  本発明の衛生マスクは、マスク本体１と、ノーズフィット部材２と、左右一対の装着用紐（耳掛け）３を有する。
【００１６】  マスク本体１は、鼻、口、顎を覆うものでマスク本体１は上下方向に広げることが可能なプリーツ、ギャザーが上下方向に複数併設されている。そしてマスク本体１の上下両端部含む外周縁を熱接着等により一体化されている。また、２の形状記憶する金属（軟質の針金等）あるいはその代替品を支えるため、その下部に１０の熱接着等も施している。
【００１７】  外側・口元側不織布等１１、１３は塵、埃、花粉、微生物等の捕捉を行なうフィルター機能とマスク本体１に厚みや強度を持たせる機能を有する。これらの観点から、外側・口元側不織布等１１，１３としては厚みが充分にあり且つ通気性が良好なエアースルー不織布やスパンボンド不織布が好ましいが、特にそのように強度を持たせることをしなくてもよい。
【００１８】  中間不織布等１２は塵、埃、花粉、微生物等の捕捉を行なうフィルター機能として有するもので、この観点から中間不織布１２としては、繊維が極細で糸密度が密な、布目の細かい不織布等が好ましい。
【００１９】  ノーズフィット部材２は、マスク本体１の上部を着用者の鼻の形にフィットさせるもので、これにより衛生マスク着用時にマスク本体１がずれ難くなると共に、鼻の側方側の隙間も略閉塞される。ノーズフィット部材２はマスク本体１内の上端部に左右方向に配設されているもので、マスク本体１における、ノーズフィット部材２周辺部が熱接着等されることで、マスク本体１に固定される。ノーズフィット部材としては例えば、軟質の針金、金属板、プラスティック樹脂等が使用される。
【００２０】  また口元をフィット、あるいは顎をフィットされるよう軟質の針金、金属板、プラスティック樹脂等の記憶形状機構等を持ってマスク本体１を３次元形状に保つようにしてもよい。
【００２１】  装着用紐３は本例では耳にかけられる耳掛けとして例示されて、マスク本体１の左右両端部６，７に熱接着等により備えられるものである。また装着用紐３としては例えば、ゴム紐等の弾性体である方が付け心地が良好で望ましく、さらにスパンデックス（ポリウレタン）製の伸縮性を有し且つ断面略長方形状の平たい紐が使用されてもよい。このように、平たい紐を使用すると、衛生マスク着用時に装着用紐３がソフトに着用者の肌に当たり、付け心地が良好であり、また接着時に装着用紐３と不織布部６，７の接触面積を大とでき、両者を良好に接着できる。
【００２２】  上記構成例における中間不織布は１枚でも複数枚としてもよく、また中間プライに上記以外の不織布やその他のフィルターや布（生地）などを付加してもよい。
【００２３】  また、不織布等のジャバラ状織り方は図４の形式でなくてもよい。
【産業上の利用可能性】
【００２４】  本考案は衛生マスクに適用できる。
【符号の説明】
【００２５】  １  マスク本体
２  ノーズフィット材
３  装着用紐（耳掛け）
４  切断線（縁）
５  切欠部（カット部分）
６  耳掛け下部固定端部
７  耳掛け上部固定端部
８  マスク本体の上端縁
９  マスク本体の下端縁
１０  接着部
１１  外側不織布等部
１２  中間不織布等部
１３  口元不織布等部
【図１】
2019026995.tif 000003
【図２】
2019026995.tif 000004
【図３】
2019026995.tif 000005
【図４】
2019026995.tif 000006